(57)【特許請求の範囲】
【請求項１】
中央部と該中央部の両端部から下方に傾斜した傾斜部とからなるフォーク差し込み孔の底部を有する合成樹脂製パレットであって、底部を構成する傾斜部が、フォーク差し込み孔の間口方向に延在する間口方向リブとフォーク差し込み孔の奥行き方向に延在する奥行き方向リブとが格子状に交差したリブ構造に形成されているとともに、中央部と該中央部を挟んで配置された傾斜部との間に間隙が形成されており、底部を構成する傾斜部に載置されたハンドフォークリフトの車輪が、格子状に交差した前記間口方向リブ及び前記奥行き方向リブに載置されるように構成されていることを特徴とする合成樹脂製パレット。
【発明の詳細な説明】
【０００１】
【発明の属する技術分野】
本発明は、種々の物品を載置して、運搬或いは保管するための合成樹脂製パレットに関するものである。
【０００２】
【従来の技術】
従来、先端にジャッキにより上下動可能な前輪が配設された公知のハンドフォークリフトのフォークが挿入可能なフォーク差し込み孔を有する合成樹脂製パレットが知られている。
【０００３】
【発明が解決しようとする課題】
従来の合成樹脂製パレットのフォーク差し込み孔１の奥行き方向に沿った垂直断面図である図４に示されているように、フォーク差し込み孔１の入口部を構成する底部２及びフォーク差し込み孔１の中央部の底部３の上面は、中央部２ａ、３ａが水平面に形成されるとともに、中央部２ａ、３ａの両端部から下方に傾斜した傾斜部２ｂ、３ｂとからなる山形状に形成されている。そして、山形状の底部２、３の上面は、凹凸等のない平滑面に形成されているために、ハンドフォークリフトの前輪が底部２、３を乗り越えることが困難となり、作業者が、相当の力でハンドフォークリフトを押したり、引いたりして、ハンドフォークリフトを、フォーク差し込み孔１に挿入したり、或いは、フォーク差し込み孔１から引き出さなければならないという問題がある。
【０００４】
また、近年、合成樹脂製パレットを射出成形で一体成形するとともにリブ構造とすることにより、合成樹脂製パレットの軽量化が図られているが、このように軽量化された合成樹脂製パレットのフォーク差し込み孔１にハンドフォークリフトを挿入したり、或いは、フォーク差し込み孔１からハンドフォークリフトを引き出したりする際に、ハンドフォークリフトの前輪が底部２、３を乗り越えるように、ハンドフォークリフトを押したり、引いたりすると、合成樹脂製パレットが動いてしまい、ハンドフォークリフトの出し入れが迅速に行えないという問題がある。
【０００５】
上述したような問題を解決するために、底部２、３の傾斜部２ｂ、３ｂの傾斜を緩やかにすることが考えられるが、傾斜部２ｂ、３ｂの傾斜を緩やかにすると、底部２、３の厚さを含め裏面デッキボードが薄くなり、裏面デッキボードの強度が低下するという問題が生ずることになる。
【０００６】
本発明の目的は、上述した従来の合成樹脂製パレットが有する課題を解決するとともに、作業性の向上した合成樹脂製パレットを提供することにある。
【０００７】
【課題を解決するための手段】
本発明は、上述した目的を達成するために、中央部と該中央部の両端部から下方に傾斜した傾斜部とからなるフォーク差し込み孔の底部を有する合成樹脂製パレットであって、底部を構成する傾斜部が、フォーク差し込み孔の間口方向に延在する間口方向リブとフォーク差し込み孔の奥行き方向に延在する奥行き方向リブとが格子状に交差したリブ構造に形成されているとともに、中央部と該中央部を挟んで配置された傾斜部との間に間隙が形成されており、底部を構成する傾斜部に載置されたハンドフォークリフトの車輪が、格子状に交差した前記間口方向リブ及び前記奥行き方向リブに載置されるように構成したものである。
【０００８】
【実施例】
以下に、本発明の合成樹脂製パレットの全体斜視図である図１、本発明の合成樹脂製パレットのフォーク差し込み孔付近の斜視図である図２及び本発明の合成樹脂製パレットの底部のみの断面を含む斜視図である図３を用いて、本発明の実施例について説明するが、本発明の趣旨を越えない限り何ら、本実施例に限定されるものではない。なお、本発明の合成樹脂製パレットにおいても、図４に示されている従来の合成樹脂製パレットと同じ構成部分には、同一の符号が使用されている。
【０００９】
本発明においては、フォーク差し込み孔１の入口部の底部２及びフォーク差し込み孔１の中央部の底部３を形成する従来の傾斜部２ｂ、３ｂを、後述するようにリブ構造としたものである。なお、フォーク差し込み孔１の入口部の底部２とフォーク差し込み孔１の中央部の底部３とは、実質的に、同じ構造を有しているので、以下においては、フォーク差し込み孔１の入口部の底部２の構造について説明する。
【００１０】
フォーク差し込み孔１の入口部の底部２は、フォーク差し込み孔１の入口側に位置する傾斜部５と、フォーク差し込み孔１の奥側に位置する傾斜部６と、両傾斜部５、６間に位置する中央部７とから構成されている。フォーク差し込み孔１の入口側に位置する傾斜部５は、リブ５ａを格子状に交差して形成された構造を有しており、本実施例においては、フォーク差し込み孔１の間口方向に延在する間口方向リブ５ａと奥行き方向に延在する奥行き方向リブ５ａとにより構成されている。同様に、フォーク差し込み孔１の奥側に位置する傾斜部６も、リブ６ａを格子状に交差して形成された構造を有しており、フォーク差し込み孔１の間口方向に延在する間口方向リブ６ａと奥行き方向に延在する奥行き方向リブ６ａとにより構成されている。
【００１１】
フォーク差し込み孔１の底部２を構成する中央部７は、板状の水平部分７ａと該水平部分７ａの下面に垂下された補強リブ７ｂとを有しており、必要に応じて、雨水や洗浄液が透過可能な小孔７ｃが穿設されている。
【００１２】
上述したように、フォーク差し込み孔１の入口側に位置する傾斜部５と、フォーク差し込み孔１の奥側に位置する傾斜部６とを、リブ５ａ、６ａが格子状に交差した構成とすることにより、フォーク差し込み孔１からハンドフォークリフトを引き出したりする際に、ハンドフォークリフトの前輪が、リブ５ａ、６ａに引っ掛かり、従来の板状の傾斜面２ｂのように、滑ることがない。従って、フォーク差し込み孔１の入口側に位置する傾斜部５と、フォーク差し込み孔１の奥側に位置する傾斜部６への乗り越えが容易となる。
【００１３】
また、フォーク差し込み孔１からハンドフォークリフトを引き出したりする際に、ハンドフォークリフトの前輪が、リブ５ａ、６ａに引っ掛かるので、ハンドフォークリフトの前輪が底部２を乗り越えるように、ハンドフォークリフトを押したり、引いたしても、合成樹脂製パレットが動くようなことがなく、フォークリフトの出し入れを、迅速に行うことができる。
【００１４】
更に、底部２、３の傾斜部５、６をリブ構造とし、中央部７を板状に形成したので、合成樹脂製パレットの過度の軽量化が防止でき、従って、ハンドフォークリフトを挿入したり、或いは、引き出したりする際の、軽量化に起因する合成樹脂製パレットの移動が防止できる。
【００１５】
実施例においては、中央部７と該中央部７を挟んで配置された傾斜部５、６との間に間隙が形成された例が示されているが、この間隙にリブを形成し、中央部７と傾斜部５、６とを連結することもできるし、また、中央部７の水平部分７ａを、中央部７側の傾斜部５、６のリブ５ａ、６ａまで延在して、中央部７と傾斜部５、６とを連結することもできる。
【００１６】
【発明の効果】
本発明は、以上説明したように構成されているので、以下に記載する効果を奏することができる。
【００１７】
ハンドフォークリフトの前輪が底部を乗り越える際に、ハンドフォークリフトの前輪の抵抗が増し、ハンドフォークリフトの前輪がスリップすることなく、傾斜部を容易に乗り越えることができるとともに、ハンドフォークリフトに押されて合成樹脂製パレットが移動するようなことがない。
【図面の簡単な説明】
【図１】図１は本発明の合成樹脂製パレットの全体斜視図である。
【図２】図２は本発明の合成樹脂製パレットのフォーク差し込み孔付近の斜視図である。
【図３】図３は本発明の合成樹脂製パレットの底部のみの断面を含む斜視図である。
【図４】図４は従来の合成樹脂製パレットのフォーク差し込み孔の奥行き方向に沿った垂直断面図である。
【符号の説明】
１・・・・・・・フォーク差し込み孔
２・・・・・・・底部
５、６・・・・・傾斜部
５ａ、６ａ・・・リブ
７・・・・・・・中央部
【図１】
0004077906.tif 000002
【図２】
0004077906.tif 000003
【図３】
0004077906.tif 000004
【図４】
0004077906.tif 000005